(57)【特許請求の範囲】
【請求項１】
物体側より順に、正の屈折力の第１群、負の屈折力の第２群、後続レンズ群を含み、ズーミングに際して隣り合うレンズ群の間隔が変化し、前記第１群は異常分散光学材料からなる光学素子と正レンズと負レンズを含み、広角端における全系の焦点距離をｆｗ、望遠端における全系の焦点距離をｆｔ、前記異常分散光学材料からなる光学素子の焦点距離をｆｐ、前記異常分散光学材料の部分分散比をθｇ，Ｆｐ、前記異常分散光学材料のアッベ数をνｄｐ、前記第１群において最もパワーの強い正レンズの材料のアッベ数をνｄｐ１、前記第１群において最もパワーの強い負レンズの材料のアッベ数をνｄｎ、前記第１群において最もパワーの強い負レンズの物体側の面の曲率半径をＲ１ｎ、前記第１群において最もパワーの強い負レンズの像側の面の曲率半径をＲ２ｎ、前記第１群の焦点距離をｆ１、前記第２群の焦点距離をｆ２とするとき、
【数１】
0005839951.tif 000006
Δθｇ，Ｆｐ＝θｇ，Ｆｐ−（−０．００１６８２＊νｄｐ＋０．６４３８）
−１０．０＜（Ｒ２ｎ＋Ｒ１ｎ）／（Ｒ２ｎ−Ｒ１ｎ）＜−３．３    ・・・（２）
２．８＜ｖｄｐ１／ｖｄｎ＜６．０    ・・・（３）
−４．０＜ｆ１／ｆ２＜−２．０ ・・・（６）
なる条件式を満足することを特徴とするズームレンズ。
【請求項２】
前記第１群において最もパワーの強い正レンズの物体側の面の曲率半径をＲ１ｐ、前記第１群において最もパワーの強い正レンズの像側の面の曲率半径をＲ２ｐとするとき、
０．８１＜（Ｒ２ｐ＋Ｒ１ｐ）／（Ｒ２ｐ−Ｒ１ｐ）＜１．２０    ・・・（４）
なる条件式を満足することを特徴とする請求項１に記載のズームレンズ。
【請求項３】
１．００＜√（ｆｗ・ｆｔ）／ｆ１＜１．５０    ・・・（５）
なる条件式を満たすことを特徴とする請求項１または２に記載のズームレンズ。
【発明の詳細な説明】
【技術分野】
【０００１】
本発明は、液晶プロジェクタ、銀塩写真カメラ、デジタル一眼レフカメラ等に好適な、ズームレンズに関するものである。
【背景技術】
【０００２】
正の屈折力の第１群、負の屈折力の第２群、後続レンズ群を配置することで、望遠ズームで、かつ基本収差が補正された光学系が得られることは知られている。一般に小型化と高性能化は相反するものであり、このような屈折力構成の光学系では、望遠端の軸上色収差、倍率色収差の補正と小型化を両立する事が困難となる。このような問題に対して、異常分散材料を用いて軸上色収差、倍率色収差を補正したものとして、特許文献１、２が知られている。特許文献１、２では、第１群に正の屈折力を有する部分分散比の高い異常分散材料を用いることで、軸上色収差、倍率色収差を補正した光学系が得られている。
【先行技術文献】
【特許文献】
【０００３】
【特許文献１】特開２００６−３４９９４７号公報
【特許文献２】特開２００７−２９８５５５号公報
【発明の概要】
【発明が解決しようとする課題】
【０００４】
しかしながら、上述の特許文献１、２に開示された従来技術では、軸上色収差、倍率色収差は補正されているが、現在デジタル一眼レフなどでは高画質化が求められており、更なる光学性能の向上が求められている。
【０００５】
本発明はこの問題点に鑑みてなされたものであり、軸上色収差、倍率色収差、色の球面収差が更に良好に補正された、望遠ズームレンズを得ることを目的とする。
【課題を解決するための手段】
【０００６】
上記目的を達成するために、本発明のズームレンズは、物体側より順に、正の屈折力の第１群、負の屈折力の第２群、後続レンズ群を含み、ズーミングに際して隣り合うレンズ群の間隔が変化し、前記第１群は異常分散光学材料からなる光学素子と正レンズと負レンズを含み、広角端における全系の焦点距離をｆｗ、望遠端における全系の焦点距離をｆｔ、前記異常分散光学材料からなる光学素子の焦点距離をｆｐ、前記異常分散光学材料の部分分散比をθｇ，Ｆｐ、前記異常分散光学材料のアッベ数をνｄｐ、前記第１群において最もパワーの強い正レンズの材料のアッベ数をνｄｐ１、前記第１群において最もパワーの強い負レンズの材料のアッベ数をνｄｎ、前記第１群において最もパワーの強い負レンズの物体側の面の曲率半径をＲ１ｎ、前記第１群において最もパワーの強い負レンズの像側の面の曲率半径をＲ２ｎ、前記第１群の焦点距離をｆ１、前記第２群の焦点距離をｆ２とするとき、
【０００７】
【数１】
0005839951.tif 000002
【０００８】
Δθｇ，Ｆｐ＝θｇ，Ｆｐ−（−０．００１６８２＊νｄｐ＋０．６４３８）
−１０．０＜（Ｒ２ｎ＋Ｒ１ｎ）／（Ｒ２ｎ−Ｒ１ｎ）＜−３．３    ・・・（２）
２．８＜ｖｄｐ１／ｖｄｎ＜６．０    ・・・（３）
−４．０＜ｆ１／ｆ２＜−２．０    ・・・（６）
なる条件式を満足することを特徴としている。
【発明の効果】
【０００９】
本発明によれば色収差、像面湾曲が良好に補正された、ズームレンズを得ることができる。
【図面の簡単な説明】
【００１０】
【図１】色の球面収差の説明図
【図２】本発明の数値実施例１のレンズ断面図
【図３】本発明の数値実施例１の広角端での収差図
【図４】本発明の数値実施例１の望遠端での収差図
【図５】本発明の数値実施例２のレンズ断面図
【図６】本発明の数値実施例２の広角端での収差図
【図７】本発明の数値実施例２の望遠端での収差図
【図８】本発明の数値実施例３のレンズ断面図
【図９】本発明の数値実施例３の広角端での収差図
【図１０】本発明の数値実施例３の望遠端での収差図
【発明を実施するための形態】
【００１１】
以下に、本発明の好ましい実施の形態を、添付の図面に基づいて詳細に説明する。
【００１２】
図１は色の球面収差の説明図、図２、５、８はそれぞれ本発明の数値実施例１、２、３のレンズ断面図である。図３、６、９はそれぞれ本発明の数値実施例１、２、３の広角端での無限遠合焦時の収差図である。図４、７、１０はそれぞれ本発明の数値実施例１、２、３の望遠端での無限遠合焦時の収差図である。
【００１３】
各レンズ断面図において、ＮＬは異常分散光学材料を用いた光学素子をあらわしている。ＳＰは絞り、ＩＰは像面を、図中の＊印は非球面位置をあらわしている。
【００１４】
各収差図において、ｄ、ｇは各々ｄ線及びｇ線、ΔＭ、ΔＳはメリジオナル像面、サジタル像面を表している。倍率色収差はｇ線であらわしている。
【００１５】
本発明の色収差補正の原理について述べる。望遠ズームレンズでは、一般に望遠端において軸上色収差、倍率色収差が残存する。これを補正するには、絞りより前側（物体側）の軸上光線、瞳近軸光線の高い場所に、通常の硝材よりも部分分散比の大きい材料を正パワーで用いればよい。通常の硝材で１次の色消しを行うと、負レンズに高分散で部分分散比の高い硝材を用いる為に、２次スペクトルが増大する。本発明では正レンズのパワーと異常部分分散性を適切な範囲に設定することで、１次と２次の色消しが両立している。それは後述する条件式（１）のようなパラメータを、適切な範囲にする事に相当する。
【００１６】
また上述した考え方で、軸上光線と瞳近軸光線の高い第１群に、正パワーで異常分散光学材料を用いることで軸上色収差、倍率色収差を良好に補正しようとすると色の球面収差が発生する。本発明では、第１群中の負レンズを物体側に凸面を向けたメニスカス形状にし、更に物体側と像側の曲率半径を近くする事で、アンダーに発生するｇ線の色の球面収差をオーバーにして補正している。
【００１７】
また上述した考え方で、色収差を良好に補正しようとすると、正レンズの曲率半径が小さくなり、中間域―望遠端での像面湾曲が増大する為に好ましくない。本発明では１群中の正レンズと負レンズのアッベ数の比を適切な範囲で設定することで、正レンズの曲率半径を大きくする方向に保ち、全ズーム域での像面湾曲が悪化することを防いでいる。
【００１８】
上記考え方は条件式（１）〜（３）を満たすことで達成される。
【００１９】
実施例１、２、３のズームレンズは、物体側より順に、正の屈折力の第１群、負の屈折力の第２群、後続レンズ群を含み、ズーミングに際して隣り合うレンズ群の間隔が変化し、第１群は異常分散光学材料からなる光学素子と正レンズと負レンズを含み、広角端における全系の焦点距離をｆｗ、望遠端における全系の焦点距離をｆｔ、前記異常分散光学材料の焦点距離をｆｐ、前記異常分散光学材料の部分分散比をθｇ，Ｆｐ、前記異常分散光学材料のアッベ数をνｄｐ、前記第１群において最もパワーの強い正レンズの材料のアッベ数をνｄｐ１、前記第１群において最もパワーの強い負レンズの材料のアッベ数をνｄｎ、前記第１群において最もパワーの強い負レンズの物体側の面の曲率半径をＲ１ｎ、前記第１群において最もパワーの強い負レンズの像側の面の曲率半径をＲ２ｎ、前記第１群の焦点距離をｆ１、前記第２群の焦点距離をｆ２とするとき、
以下の条件式を満足することを特徴とする望遠ズームレンズである。
【００２０】
【数２】
0005839951.tif 000003
【００２１】
Δθｇ，Ｆｐ＝θｇ，Ｆｐ−（−０．００１６８２＊νｄｐ＋０．６４３８）
−１０．０＜（Ｒ２ｎ＋Ｒ１ｎ）／（Ｒ２ｎ−Ｒ１ｎ）＜−３．３    ・・・（２）
２．８＜ｖｄｐ１／ｖｄｎ＜６．０    ・・・（３）
−４．０＜ｆ１／ｆ２＜−２．０ ・・・（６）
【００２２】
条件式（１）は、軸上色収差、倍率色収差の２次スペクトルを除去するのに適切な、異常分散光学材料の色補正力の範囲を規定したものである。上限値を超えると２次の色消し成分が不足する為、軸上色収差、倍率色収差を十分に補正することが困難になる。下限値を下回ると２次の色消し成分が過剰となり、好ましくない。
【００２３】
条件式（２）は、色の球面収差を補正するのに適切な、第１群中の負レンズの形状範囲を規定したものである。第１群中に２次の色消し力の高い異常分散光学材料を用いると、２次の色消し力は高くなり、軸上色収差、倍率色収差は補正できるが、軸上光線高さが高いために色の球面収差が発生する。ここで色の球面収差とは、波長ごとの球面収差の差を示すものとする。図１のように従来の光学系では、軸上色収差、倍率色収差を良好に補正しようとすると、短波長（特にｇ線）の球面収差がアンダーになり、光学性能が維持できない傾向がある。負レンズの形状を適切な範囲にする事で、光学素子によって発生するアンダー側の球面収差をオーバーに戻して色の球面収差を補正する。上限値を超えると、負レンズによって発生する球面収差が小さくなり、色の球面収差を補正することが困難になるので好ましくない。下限値を下回ると負レンズによって発生する球面収差が過剰となり、好ましくない。
【００２４】
条件式（３）は、第１群において最もパワーの強い負レンズと、第１群において最もパワーの強い正レンズの材料のアッベ数の比を規定している。色収差を補正するためには第１群中の光学素子や正レンズのパワーを強めればよいが、正レンズの形状が一定の範囲を超えると全ズーム域での像面を良好に保つことが困難となる。上限値を超えると、負レンズが高分散になりすぎ、色収差を補正することが困難になるので好ましくない。下限値を下回るとアッベ数の比が小さくなり、像面湾曲を補正することが困難になるので好ましくない。
【００２５】
以下、各実施形態について１つずつ説明する。
【００２６】
［実施例１］
以下、図１を参照して、本発明の第１の実施例による、レンズ構成について説明する。
【００２７】
図１に示す実施例１は、物体側から順に、正の屈折力の第１群Ｌ１、負の屈折力の第２群Ｌ２、正の屈折力の第３群Ｌ３、負の屈折力の第４群Ｌ４、正の屈折力の第５群Ｌ５、負の屈折力の第６群Ｌ６、正の屈折力の第７群Ｌ７から構成されている。絞りより物体側の軸上光線、瞳近軸光線が高くなる第１群中に、部分分散比の高い異常分散光学材料からなる正のパワーの光学素子を用いている。先述したように、正レンズに高分散で部分分散比の大きい材料と、低分散の材料を用いることで、１次と２次の色消しを両立している。また、それによって発生するアンダーのｇ線の球面収差を、第１群中の負レンズの形状を適切な範囲にする事でオーバー側に補正している。
【００２８】
また、正レンズの曲率半径が小さくなり、中間域―望遠端での像面湾曲が増大するので、１群中の正レンズと負レンズのアッベ数の比を適切な範囲で設定することで補正している。
【００２９】
更に望ましくは、条件式（１ａ）を満たすと軸上色収差、倍率色収差が良好に補正できるので良い。
【００３０】
【数３】
0005839951.tif 000004
【００３１】
更に望ましくは、以下の条件式（２ａ）を満たすと色の球面収差が良好に補正できるので良い。
−８．０＜（Ｒ２ｎ＋Ｒ１ｎ）／（Ｒ２ｎ−Ｒ１ｎ）＜−３．３    ・・・（２ａ）
【００３２】
更に望ましくは、以下の条件式（３ａ）を満たすと像面湾曲を良好に補正できるので良い。
３．０＜ｖｄｐ１／ｖｄｎ＜６．０    ・・・（３ａ）
【００３３】
前記第１群において最もパワーの強い正レンズの物体側の面の曲率半径をＲ１ｐ、前記第１群において最もパワーの強い正レンズの像側の面の曲率半径をＲ２ｐとするとき、以下の条件式を満たす事が望ましい。
０．８１＜（Ｒ２ｐ＋Ｒ１ｐ）／（Ｒ２ｐ−Ｒ１ｐ）＜１．２０    ・・・（４）
【００３４】
条件式（４）は第１群において最もパワーの強い正レンズの適切な形状を規定したものである。正レンズの形状が一定の範囲を超えると、全ズーム域で像面を良好に保つことが困難となる。上限値を超えると、像面側の曲率半径が物体面側の曲率半径に対して小さくなり、像面湾曲を補正することが困難になるので好ましくない。下限値を下回ると、同様に像面側の曲率半径が物体面側の曲率半径に対して小さくなり、像面湾曲を補正することが困難になるので好ましくない。
【００３５】
更に望ましくは、以下の条件式（４ａ）を満たすと像面を良好に保てるので良い。
０．８４＜（Ｒ２ｐ＋Ｒ１ｐ）／（Ｒ２ｐ−Ｒ１ｐ）＜１．１６    ・・・（４ａ）
【００３６】
前記第１群の焦点距離をｆ１とするとき、以下の条件式を満たす事が望ましい。
１．００＜√（ｆｗ・ｆｔ）／ｆ１＜１．５０    ・・・（５）
【００３７】
条件式（５）は第１群の焦点距離と、全系の広角端と望遠端の焦点距離の関係を規定したものである。第１群のパワーが全系のパワーに対して一定の範囲であることを示しており、小型化が図れる。上限値を超えると、第１群のパワーが全系のパワーに対して強くなりすぎ、球面収差を補正するのが困難となるために好ましくない。下限値を下回ると第１群のパワーが全系のパワーに対して弱くなりすぎ、小型化することが困難となるために好ましくない。
【００３８】
更に望ましくは、以下の条件式（５ａ）を満たすと小型化が図れるので良い。
１．１０＜√（ｆｗ・ｆｔ）／ｆ１＜１．５０    ・・・（５ａ）
【００３９】
前記第１群の焦点距離をｆ１、前記第２群の焦点距離をｆ２とするとき、以下の条件式を満たす事が望ましい。
−４．０＜ｆ１／ｆ２＜−２．０    ・・・（６）
【００４０】
条件式（６）は第１群の焦点距離と、第２群の焦点距離の関係を規定したものである。第２群のパワーが第１群のパワーに対して一定の範囲であることを示しており、小型化が図れる。下限値を下回ると、第２群のパワーが第１群のパワーに対して強くなりすぎ、球面収差を補正するのが困難となるために好ましくない。上限値を上回ると第２群のパワーが第１群のパワーに対して弱くなりすぎ、小型化することが困難となるために好ましくない。
【００４１】
更に望ましくは、以下の条件式（６ａ）を満たすと像面を良好に保てるので良い。
−４．０＜ｆ１／ｆ２＜−２．５    ・・・（６ａ）
【００４２】
［実施例２］
以下、図５を参照して、本発明の第２の実施例による、レンズ構成について説明する。
【００４３】
図５に示す実施例２は、物体側から順に、正の屈折力の第１群Ｌ１、負の屈折力の第２群Ｌ２、正の屈折力の第３群Ｌ３、負の屈折力の第４群Ｌ４、正の屈折力の第５群Ｌ５、負の屈折力の第６群Ｌ６、正の屈折力の第７群Ｌ７から構成されている。実施例１と比較して第１群中のレンズ構成が正レンズ、負レンズ、正レンズから、負レンズ、正レンズ、正レンズになっている。実施例１と比較して、異常分散光学材料からなる光学素子のパワーは小さくなっている。これは第１群の中でもより物体側に異常分散光学材料からなる光学素子を配置して軸上光線、軸外光線を共に高くし、収差への影響を高めているためである。
【００４４】
［実施例３］
以下、図８を参照して、本発明の第３の実施例による、レンズ構成について説明する。
【００４５】
図８に示す実施例３は、物体側から順に、正の屈折力の第１群Ｌ１、負の屈折力の第２群Ｌ２、正の屈折力の第３群Ｌ３、負の屈折力の第４群Ｌ４、正の屈折力の第５群Ｌ５、負の屈折力の第６群Ｌ６から構成されている。実施例の中では光学素子の色補正力が最も高い。これは実施例２と比較して像側に配置したこと、実施例１，２と比較して広角端、望遠端の焦点距離がより望遠側にシフトしているためである。
【００４６】
以上、本発明の好ましい実施形態について説明したが、本発明はこれらの実施形態に限定されず、その要旨の範囲内で種々の変形及び変更が可能である。
【００４７】
次に本発明の数値実施例を示す。
【００４８】
数値実施例において、ｒｉは物体側より順に第ｉ番目のレンズ面の曲率半径、ｄｉは第ｉ番目のレンズ厚または空気間隔、ｎｉとｙｉは第ｉ番目のレンズの材質の屈折率とアッベ数である。また、非球面形状はレンズ面の中心部の曲率半径をＲとし、光軸方向をＸ軸とし、光軸と垂直方向をＹ軸とし、非球面係数をＡｉ（ｉ＝１，２，３…）としたとき、
Ｘ＝（１／Ｒ）Ｙ２
１＋｛１―（Ｋ＋１）（Ｙ／Ｒ）２｝１／２
＋Ａ４Ｙ４＋Ａ６Ｙ６＋Ａ８Ｙ８＋Ａ１０Ｙ１０＋・・・
であらわされるものとする。
【００４９】
表１には本発明の上述した条件式と数値実施例の関係を示す。
【００５０】
数値実施例１
単位  ｍｍ
面データ
面番号       r        d      nd         vd       有効径    θgF
1          ∞       1.85                         58.00
2         93.685    3.77   1.51823    59.0       49.72
3        296.982    0.15                         49.45
4         67.271    2.20   1.84666    23.8       48.73
5         43.225    0.80   1.76498    15.0       46.69    0.748
6         46.301   10.00   1.48749    70.2       46.58
7       2399.304  (可変)                         45.47
8       1715.304    1.10   1.85026    32.3       19.38
9         46.248    2.02                         18.90
10        -51.935    0.90   1.80400    46.6       18.89
11         28.909    3.19   1.84666    23.9       19.30
12       -758.867  (可変)                         19.44
13         29.395    1.30   1.80518    25.4       19.90
14         19.377    5.87   1.58313    59.4       19.41
15*       -69.703    1.00                         19.13
16(絞り)    ∞     (可変)                         18.59
17        -21.862    1.90   1.58913    61.1       17.56
18         29.917    2.56   1.80518    25.4       19.66
19        118.022  (可変)                         19.99
20       -463.650    3.83   1.58313    59.4       21.34
21        -25.424    0.15                         21.92
22         79.108    5.16   1.48749    70.2       22.21
23        -22.615    1.00   1.84666    23.9       22.16
24        -59.639    0.15                         22.69
25         40.122    3.64   1.56384    60.7       22.74
26       -260.994  (可変)                         22.39
27       -152.152    1.10   1.83481    42.7       22.08
28         32.430    1.43                         21.65
29         89.790    4.38   1.80518    25.4       21.73
30        -26.311    1.10   1.83481    42.7       21.85
31         50.788  (可変)                         22.34
32         40.319    3.53   1.51742    52.4       32.92
33         98.386  (可変)                         33.00
像面        ∞
非球面データ
第15面
K = 0.00000e+000  A 4= 1.93579e-006  A 6=-4.61734e-009  A 8=-6.71788e-012
各種データ
ズーム比      4.01
焦点距離      72.48   135.49   290.86   100.37   200.68
Fナンバー      4.58     4.94     5.85     4.63     5.39
半画角          16.62     9.07     4.25    12.16     6.15
像高          21.64    21.64    21.64    21.64    21.64
レンズ全長   143.42   175.48   201.87   161.71   190.75
BF            39.98    39.98    39.98    39.98    39.98
d 7            2.29    34.35    60.74    20.58    49.62
d12            9.16     4.96     0.99     6.83     3.30
d16            3.26    10.76    17.35     7.28    14.26
d19            8.66     5.35     2.73     6.96     3.52
d26           13.79    11.84     0.99    13.25     7.64
d31            2.21     4.16    15.01     2.75     8.36
d33           39.98    39.98    39.98    39.98    39.98
入射瞳位置    36.23   112.27   264.50    72.18   183.48
射出瞳位置   -31.36   -36.35   -56.28   -33.52   -43.20
前側主点位置  35.07     7.26  -323.55    35.50   -99.99
後側主点位置 -32.50   -95.51  -250.88   -60.39  -160.70
ズームレンズ群データ
群  始面    焦点距離  レンズ構成長  前側主点位置  後側主点位置
1    1     118.28        18.77         1.15        -11.62
2    8     -32.12         7.21         1.33         -3.49
3   13      41.92         8.17         1.22         -4.34
4   17     -37.42         4.46         0.34         -2.24
5   20      24.66        13.93         4.40         -4.90
6   27     -24.11         8.01         2.06         -2.77
7   32     129.35         3.53        -1.58         -3.86
単レンズデータ
レンズ  始面  焦点距離
1       1    262.42
2       4   -149.08
3       5    764.27
4       6     96.71
5       8    -55.92
6      10    -22.98
7      11     32.95
8      13    -74.95
9      14     26.65
10      17    -21.15
11      18     49.14
12      20     45.98
13      22     36.69
14      23    -43.57
15      25     61.95
16      27    -31.94
17      29     25.70
18      30    -20.63
19      32    129.35
【００５１】
数値実施例２
単位  ｍｍ
面データ
面番号       r        d      nd         vd       有効径      θgF
1          ∞       1.85                         58.00
2         70.515    2.20   1.84666    23.8       49.72
3         49.931    0.80   1.76498    15.0       48.39      0.748
4         52.204   10.00   1.49700    81.6       48.25
5      -1398.871    0.15                         47.54
6         94.712    3.77   1.51823    59.0       46.60
7        207.983  (可変)                         45.83
8       -808.040    1.10   1.85026    32.3       20.10
9         59.335    2.02                         19.67
10        -51.523    0.90   1.80400    46.6       19.63
11         25.952    3.19   1.84666    23.9       20.04
12        916.257  (可変)                         20.14
13         31.224    1.30   1.80518    25.4       20.55
14         19.887    5.87   1.58313    59.4       20.06
15*       -66.502    1.00                         19.85
16(絞り)    ∞     (可変)                          19.30
17        -23.065    1.90   1.58913    61.1       18.22
18         32.834    2.56   1.80518    25.4       20.26
19        120.624  (可変)                         20.61
20       -396.032    3.83   1.58313    59.4       21.00
21        -25.980    0.15                         21.64
22         86.853    5.16   1.48749    70.2       22.00
23        -23.136    1.00   1.84666    23.9       21.98
24        -58.442    0.15                         22.51
25         34.725    3.64   1.56384    60.7       22.61
26       -358.624  (可変)                         22.26
27       -183.421    1.10   1.83481    42.7       21.88
28         31.077    1.43                         21.37
29         79.321    4.38   1.80518    25.4       21.46
30        -27.814    1.10   1.83481    42.7       21.55
31         47.494  (可変)                         21.89
32         38.310    3.53   1.51742    52.4       31.08
33         67.143  (可変)                         31.15
像面        ∞
非球面データ
第15面
K = 0.00000e+000  A 4= 1.64081e-006  A 6=-4.98940e-009  A 8=-1.19790e-013
各種データ
ズーム比      4.01
焦点距離      72.49   135.49   290.86   100.36   200.68
Fナンバー      4.63     4.85     5.85     4.63     5.42
半画角         16.62     9.07     4.25    12.16     6.15
像高          21.64    21.64    21.64    21.64    21.64
レンズ全長   144.18   173.85   200.67   161.38   188.40
BF            40.50    40.50    40.50    40.50    40.50
d 7            3.54    33.20    60.03    20.74    47.76
d12            8.72     3.80     0.74     6.40     1.94
d16            3.09    12.27    18.93     7.71    16.67
d19            9.08     4.82     1.22     6.78     2.29
d26           12.70    11.59     1.13    12.45     7.97
d31            2.47     3.58    14.04     2.73     7.20
d33           40.50    40.50    40.50    40.50    40.50
入射瞳位置    37.26   102.88   246.98    70.18   162.33
射出瞳位置   -30.47   -34.15   -49.16   -32.02   -38.92
前側主点位置  35.70    -7.55  -405.74    31.65  -144.06
後側主点位置 -31.99   -94.99  -250.36   -59.86  -160.18
ズームレンズ群データ
群  始面    焦点距離  レンズ構成長  前側主点位置  後側主点位置
1    1     116.61        18.77         3.26         -9.64
2    8     -32.48         7.21         1.59         -3.21
3   13      43.57         8.17         1.35         -4.20
4   17     -38.73         4.46         0.37         -2.21
5   20      24.12        13.93         4.56         -4.74
6   27     -24.06         8.01         2.14         -2.68
7   32     165.51         3.53        -2.97         -5.20
単レンズデータ
レンズ  始面  焦点距離
1       1   -212.43
2       3    1300.54
3       4    101.49
4       6    331.81
5       8    -64.97
6      10    -21.36
7      11     31.49
8      13    -71.69
9      14     26.93
10      17    -22.71
11      18     55.31
12      20     47.50
13      22     38.06
14      23    -45.83
15      25     56.34
16      27    -31.76
17      29     26.05
18      30    -20.87
19      32    165.51
【００５２】
数値実施例３
単位  ｍｍ
面データ
面番号       r        d      nd         vd       有効径    θgF
1          ∞       0.00                         67.41
2        152.443    5.10   1.48749    70.2       67.41
3        453.520    0.15                         67.03
4         92.654    3.50   1.92286    18.9       66.29
5         68.395    1.00   1.76498    15.0       63.97    0.748
6         74.634   10.70   1.49700    81.6       63.87
7       1331.363  (可変)                         62.74
8        887.378    1.40   1.72916    54.7       26.87
9         58.475    3.30                         26.17
10        -53.395    1.40   1.62280    57.1       26.15
11         75.053    2.70   1.84666    23.8       26.71
12      -1214.849  (可変)                         26.81
13       -342.979    4.80   1.43875    95.0       28.05
14        -33.968    1.20                         28.43
15        -34.975    2.00   1.69680    55.5       28.26
16        -61.633    0.20                         29.18
17         64.436    3.00   1.62299    58.1       29.71
18        841.030    2.50                         29.58
19(絞り)    ∞     (可変)                         29.27
20        -42.941    2.90   1.60311    60.7       28.93
21        -60.148  (可変)                         29.63
22       -573.630    3.30   1.48749    70.2       29.89
23        -59.065    0.15                         29.93
24        439.883    1.50   1.80518    25.4       29.41
25         46.846    1.30                         28.87
26         89.480    3.30   1.48749    70.2       28.92
27       -137.450    0.15                         29.00
28         42.901    4.00   1.66672    48.3       28.93
29       -970.564  (可変)                         28.53
30       -824.208    1.45   1.80610    41.0       21.70
31         32.805    0.33                         20.78
32         32.322    4.30   1.72825    28.5       20.79
33       -124.055    1.45   1.77250    49.6       20.19
34         51.881  (可変)                         19.46
像面        ∞
各種データ
ズーム比      3.75
焦点距離      104.16   166.66   391.00   125.47   259.76
Fナンバー      4.60     5.20     5.80     5.20     5.80
半画角         11.73     7.40     3.17     9.78     4.76
像高           21.64    21.64    21.64    21.64    21.64
レンズ全長    221.48   252.31   300.68   233.41   279.42
BF            70.65    87.69   113.37    77.35   103.45
d 7            7.47    38.30    86.68    19.40    65.42
d12           28.17    21.94    10.09    25.27    16.65
d19            3.73     8.19     8.35     6.22     9.25
d21           23.06    12.45    14.14    18.32     7.53
d29           21.31    16.65     0.99    19.76    10.05
d34           70.65    87.69   113.37    77.35   103.45
入射瞳位置    63.67   136.51   412.60    87.04   251.53
射出瞳位置    -38.98   -34.21   -33.11   -37.29   -30.28
前側主点位置  68.87    75.32  -240.16    75.19     6.72
後側主点位置  -33.51   -78.97  -277.63   -48.11  -156.31
ズームレンズ群データ
群  始面    焦点距離  レンズ構成長  前側主点位置  後側主点位置
1    1     167.88        20.45        -1.08        -14.04
2    8     -50.43         8.80         1.95         -4.45
3   13      81.95        13.70         5.73         -4.54
4   20    -265.74         2.90        -4.82         -6.75
5   22      56.95        13.70         7.41         -1.84
6   30     -54.45         7.53         3.34         -1.03
単レンズデータ
レンズ  始面  焦点距離
1       1    468.45
2       4   -304.11
3       5    999.99
4       6    158.64
5       8    -85.91
6      10    -49.89
7      11     83.57
8      13     85.53
9      15   -119.74
10      17    111.85
11      20   -265.74
12      22    134.79
13      24    -65.23
14      26    111.71
15      28     61.72
16      30    -39.11
17      32     35.62
18      33    -47.19
【００５３】
【表１】
0005839951.tif 000005
【符号の説明】
【００５４】
Ｌ１  第１群
Ｌ２  第２群
Ｌ３  第３群
Ｌ４  第４群
Ｌ５  第５群
Ｌ６  第６群
Ｌ７  第７群
ＳＰ  絞り
ＩＰ  像面
＊  非球面
ＮＬ  異常分散光学材料からなる光学素子
ｄ  ｄ線
ｇ  ｇ線
ΔＳ  サジタル像面
ΔＭ  メリディオナル像面
Ｆｎｏ  Ｆナンバー
ω  半画角
【図１】
0005839951.tif 000007
【図２】
0005839951.tif 000008
【図３】
0005839951.tif 000009
【図４】
0005839951.tif 000010
【図５】
0005839951.tif 000011
【図６】
0005839951.tif 000012
【図７】
0005839951.tif 000013
【図８】
0005839951.tif 000014
【図９】
0005839951.tif 000015
【図１０】
0005839951.tif 000016